(57)【要約】【課題】  少ない面積で、多くの情報の表示ができるマーカ装置及びマーカ装置の表示方法を提供すること。【解決手段】  成形品に情報を刻印するための刻印面を有し、円柱状の第１のマーカを中心に、該第１のマーカの外側に嵌合する円筒状の第２のマーカを備えたマーカ装置において、第１のマーカは第２のマーカに対して着脱可能で、第１のマーカの刻印面を２分割する位置に矢印マークを設けると共に、該矢印マークの両側面又は片面に第１のマークを刻印し、前記第２のマーカの刻印面に第２のマークを刻印することにより、前記第１のマーカの前記第１のマークと、前記第１のマーカの前記矢印マークに対応する前記第２のマーカの第２のマークとにより前記情報を表示するようにしたこと。【選択図】        図１
2005329546.tif 000002
【特許請求の範囲】
【請求項１】
成形品に情報を刻印するための刻印面を有し、円柱状の第１のマーカを中心に、該第１のマーカの外側に嵌合する円筒状の第２のマーカを備えたマーカ装置において、
前記第１のマーカは前記第２のマーカに対して着脱可能で、前記第１のマーカの刻印面を２分割する位置に矢印マークを設けると共に、該矢印マークの両側面又は片面に第１のマークを刻印し、前記第２のマーカの刻印面に第２のマークを刻印することにより、前記第１のマーカの前記第１のマークと、前記第１のマーカの前記矢印マークに対応する前記第２のマーカの第２のマークとにより前記情報を表示するようにしたことを特徴とするマーカ装置。
【請求項２】
前記第１のマークは、年号又は午前、午後の何れかの情報を示すマークであることを特徴とする請求項１に記載のマーカ装置。
【請求項３】
前記第１のマークは、成形材料に関する情報を示すマークであることを特徴とする請求項１に記載のマーカ装置。
【請求項４】
成形品に情報を刻印するための刻印面を有し、円柱状の第１のマーカを中心に、該第１のマーカの外側に嵌合する円筒状の第２のマーカを備え第１のマーカの刻印面を２分割する位置に矢印マークを設けると共に、該矢印マークの両側面又は片面に第１のマークを刻印し、前記第２のマーカの刻印面に第２のマークを刻印することにより、前記第１のマーカの前記第１のマークと、前記第１のマーカの前記矢印マークに対応する前記第２のマーカの第２のマークとにより前記情報を表示するようにしたマーカ装置のマーク表示方法において、
複数個の前記マーカ装置と、成形品に表示する情報とそれぞれのマーカ装置の組合せに基づく第２のマーク位置の関係を予め設定した対応表を備え、前記マーカ装置を金型に設置する際に、前記対応表の組合せに基づきマーカ装置を金型に設置する順序を決定すると共に、それぞれの前記マーカ装置の第２のマーク位置を設定するようにしたことを特徴とするマーカ装置のマーク表示方法。
【発明の詳細な説明】
【技術分野】
【０００１】
本発明は、成形用金型に組み込まれ、成形時に、例えば、品質管理やロット管理のための成形日等の情報を成形品に刻印するマーカに関する。
【背景技術】
【０００２】
近年では、品質や環境に対する関心が高まり、成形品の品質管理やロット管理のみならず、使用される成形材料や成形条件、その他成形品に関する様々な情報の管理が必要不可欠となっている。
【０００３】
そこで、金型を用いて製造される各種成形品は、金型に組み込まれた金型データマーカにより成形された日付け（成形日）等が表面に刻印（マークともいう。）されるようにして、成形品の品質管理やロット管理が行われるようになっている。
【０００４】
金型データマーカ（以下、単に、マーカ又はマーカ装置ともいう。）としては、金型内側の座ぐり穴に圧入して埋め込まれるタイプのものや、金型のキャビティに露出する面に所定のマークが刻み込まれたエジェクターピンを利用したタイプのもの等が知られている。
【０００５】
従来のマーカの構造は、中空円柱状の外側部材（外駒ともいう。）と、円柱状の内側部材（中駒ともいう。）とからなり、外側部材の中空部分に内側部材が嵌入され回転可能に取り付けられている。そして、両端面が同一平面になるように構成されていて、外側部材の端面に数字、記号、文字等のマークが逆形状（逆文字ともいう。）で刻まれており、内側部材の端面には矢印のマークが刻まれている。このような構成のマーカでは、例えば、日付けの変更が生じた場合、内側部材の矢印のマークの中央に設けられた溝部分にマイナスドライバー等の工具を差し込み、外側部材の端面に設けられた数字に、内側部材の矢印のマークの先端が所望の数字を指し示す位置まで内側部材を回転させるようになっている（例えば、特許文献１参照。）。
【特許文献１】特開２０００−１６７８５０号公報
【発明の開示】
【発明が解決しようとする課題】
【０００６】
しかしながら、特許文献１に記載のものは、中駒の矢印マークと外駒の数字との組合せにより、例えば、年月日の情報を成形品に刻印しようとしても、外駒が一つの場合は、円周の長さにもよるが、多くの数字を並べることができないので、例えば、年、月、日の何れか限られた一種類のデータ（情報）しか表示できないという問題があった。
【０００７】
そこで、表示する情報を増やすには外駒を複数個用いることが考えられるが、外駒を増やした場合、マーカの表示面積が必然的に大きくなるので、成形品の機能やデザインを阻害する原因となり、結果として、表示面積との関係で、マーカ装置を大きくできないという問題があった。
【０００８】
本発明は、上記問題に鑑み、少ない面積で、多くの情報の表示ができるマーカ装置及びマーカ装置の表示方法を提供することを目的とする。
【課題を解決するための手段】
【０００９】
本発明は、下記構成を採ることで上記目的を達成できる。
【００１０】
（１）  成形品に情報を刻印するための刻印面を有し、円柱状の第１のマーカを中心に、該第１のマーカの外側に嵌合する円筒状の第２のマーカを備えたマーカ装置において、前記第１のマーカは前記第２のマーカに対して着脱可能で、前記第１のマーカの刻印面を２分割する位置に矢印マークを設けると共に、該矢印マークの両側面又は片面に第１のマークを刻印し、前記第２のマーカの刻印面に第２のマークを刻印することにより、前記第１のマーカの前記第１のマークと、前記第１のマーカの前記矢印マークに対応する前記第２のマーカの第２のマークとにより前記情報を表示するようにしたことを特徴とするマーカ装置。
【００１１】
（２）  前記第１のマークは、年号又は午前、午後の何れかの情報を示すマークであることを特徴とする前記（１）に記載のマーカ装置。
カ装置。
【００１２】
（３）  前記第１のマークは、成形材料に関する情報を示すマークであることを特徴とする前記（１）に記載のマーカ装置。
カ装置。
【００１３】
（４）  成形品に情報を刻印するための刻印面を有し、円柱状の第１のマーカを中心に、該第１のマーカの外側に嵌合する円筒状の第２のマーカを備え第１のマーカの刻印面を２分割する位置に矢印マークを設けると共に、該矢印マークの両側面又は片面に第１のマークを刻印し、前記第２のマーカの刻印面に第２のマークを刻印することにより、前記第１のマーカの前記第１のマークと、前記第１のマーカの前記矢印マークに対応する前記第２のマーカの第２のマークとにより前記情報を表示するようにしたマーカ装置のマーク表示方法において、複数個の前記マーカ装置と、成形品に表示する情報とそれぞれのマーカ装置の組合せに基づく第２のマーク位置の関係を予め設定した対応表を備え、前記マーカ装置を金型に設置する際に、前記対応表の組合せに基づきマーカ装置を金型に設置する順序を決定すると共に、それぞれの前記マーカ装置の第２のマーク位置を設定するようにしたことを特徴とするマーカ装置のマーク表示方法。
【発明の効果】
【００１４】
本発明は、第１のマーカに矢印の他に表示する情報の基準となるデータを第１のマークに刻印し、第２のマーカの第２のマークとの組合せで情報を表示できるようにしたので、少ない面積で、多くの情報を表示でき、中駒を交換可能にしたので、第１のマーカに刻印された第１のマークの情報を変更すれば表示の内容を変更することができるので、構成を変更することなく多くの種類の情報を表示できるようになった。
【００１５】
また、予め表示する情報に基づく対応表により設定された組合せで、マーカ装置を複数個使用することにより、小さな面積で、多くの情報を表示できるようになった。
【発明を実施するための最良の形態】
【００１６】
以下、図面を参照しながら本発明を詳細に説明するが、本発明はこれに限定されるものではない。なお、各図面において、同一符号のものは同一の物を示すものとし、適宜、関連する他の図面を参照して、詳細に説明するものとする。
【００１７】
図１は本発明に係るマーカ装置の刻印面を示す模式図。図２は本発明に係るマーカ装置の他の実施例を説明する説明図。図３は本発明に係るマーカ装置を用いた成形品の外観図である。
【００１８】
図１により本発明に係るマーカ装置のマーク構成について説明する。
【００１９】
なお、前提として、本来、表示する情報を刻印するために、マーカの刻印面に使用される数字、記号、文字等のマークは、一般に逆文字といわれる逆形状で形成されていて、成形品に刻印された時、正常な数字や記号や文字になり、視認し易いようになっているが、ここで使用する説明のための図面は、理解しやすいように、逆文字を用いず、刻印された数字、記号、文字等のマークとして表現することにした。
【００２０】
本発明のマーカ装置の詳細な構造の説明は割愛するが、図１の（イ）、（ロ）、（ハ）に示すように２層構造になっており、円柱状の第１のマーカを中心に、その外側に回転可能に嵌合する円筒状の第２のマーカを備え、図示はしないが、第１のマーカは第２のマーカに対して着脱可能に構成され、交換可能になっている。そして、第１のマーカの刻印面を２分割する位置に矢印マークを設けると共に、矢印マークの両側面又は片面に第１のマークを刻印し、第２のマーカの刻印面に第２のマークを刻印するように構成されている。
【００２１】
そして、このマーカ装置は、図示はしないが、表示する情報等に対応して準備された個数が、成形品の金型の予め設定された位置に着脱自在に設置される。
【００２２】
図１の（イ）図は、円柱状の第１のマーカ１の刻印面に、例えば、年号として西暦２００４年の末尾２桁の「０４」を刻印したもので、第１のマークとして矢印マークの両側に刻印されている。また、第２のマーカ２の刻印面に第２のマークとして１〜１２の数字が刻印されている。更に、矢印マークの三角形部分以外の長方形部分には、第１のマーカ１を回転できるようにドライバーの先端が係合可能な溝が設けられた構成となっている。
【００２３】
従って、（イ）図は、第１のマーカ１の第１のマークが矢印マークの両側に「０４」と刻印され、第１のマーカ１の矢印マークが第２のマーカ２の「１２」に対応しているので、２００４年１２月を示していることになる。
【００２４】
なお、月の表示を変更する場合は、ドライバーの先端を第１のマーカ１の矢印マーク部に設けた溝に係合させて、所望の月を示す数字に矢印を対応させるように回転させればよい。
【００２５】
また、（ロ）図は、第１のマーカ１の第１のマークが矢印マークの片側に「ＡＭ」と刻印され、第１のマーカ１の矢印マークが第２のマーカ２の「１２」に対応しているので、ＡＭ（午前）１２時を示している。また、（ロ）図の「ＡＭ」が刻印された中駒を「ＰＭ」に交換すれば、（ハ）図のマーカ装置にすることができ、（ハ）図は、ＰＭ（午後）１２時を示すことになる。
【００２６】
なお、（ロ）図や（ハ）図のように、第１のマーク「ＡＭ」又は「ＰＭ」を矢印マークの片側に刻印した場合には、他の片側に、この成形品に関する他の情報を刻印しても良い。
【００２７】
（ニ）図は、（イ）図に示す本発明のマーカ装置を基本に、３層構造にしたマーカ装置で、一般に、アクリル樹脂と呼ばれる樹脂材料ＰＭＭＡ（ポリメタクリル酸メチル、又はポリメチルメタクリレートという。）を第１のマーカ１の第１のマークとして刻印したものである。
【００２８】
例えば、第２のマーカ２の第２のマークは成形材料の入庫日付の「月」を示し、第３のマーカ３の第３のマークは「ロット」番号を示すものとすると、第１のマークが「ＰＭＭＡ」で、第１のマーカ１の矢印マークに対応する第２のマークが「１２」で、第３のマークが「３」であるから、成形品にこのマークが刻印されている場合は、成形品には、樹脂材料がＰＭＭＡで、１２月入庫の第３ロットの材料を使用したことが解るようになっている。また、第２のマーカ２の第２のマークを製造した日付の「月」を示すものとすれば、樹脂材料がＰＭＭＡで、１２月生産の第３ロットの成形品であることを示すことができる。
【００２９】
なお、第２のマーカ２に設けられた２ａ、２ｂ及び第３のマーカ３に設けられた３ａ、３ｂは、第２のマーカ２又は第３のマーカ３を回転させるためのドライバーや専用工具が係合できるようにした溝部である。
【００３０】
（ホ）図は、（イ）図に示す本発明のマーカ装置を基本に、４層構造にしたマーカ装置で、年月日を表示するようにしたものである。第１のマーカ１の第１のマークとして「０４」と刻印され、第１のマーカ１の矢印マークに対応して、第２のマーカ２の第２のマークが「１２」、第３のマーカ３の第３のマークが「１」、第４のマーカ４の第４のマークが「３」となっているので、このマーカ装置は２００４年１２月１３日を示していることになる。
【００３１】
成形品における表示面積が広くとれるような場合には、（ニ）図や（ホ）図のマーカ装置による表示が（イ）〜（ハ）図のものより多くの情報を表示でき視認しやすい利点がある。
【００３２】
なお、本実施の形態のように、各マーカが着脱可能に構成されていれば、例えば、（ホ）図の第１のマーカ１と第２のマーカ２を（イ）図のマーカ装置を利用して構成することもできる。
【００３３】
図２により、本発明のマーカ装置を複数個使用した情報の表示方法について説明する。
【００３４】
図２の（Ａ）図は、２つのマーカ装置を組み合わせて用いて、年月日と予め設定された時間帯を示すようになっている。図面左側のマーカ装置を「駒１」、右側のマーカ装置を「駒２」と呼ぶことにする。
【００３５】
図２の（Ｂ）図は、（Ａ）図の駒１と駒２の組合せを示す対応表となっている。（Ｂ）図の（１）表は１日〜３１日の時間帯が００：００〜０６：００を示し、（Ｂ）図の（２）表は、同様に、時間帯が０６：００〜１２：００、（Ｂ）図の（３）表は、時間帯が１２：００〜１８：００、（Ｂ）図の（４）表は、時間帯が１８：００〜２４：００を示すものである。
【００３６】
一例として（Ａ）図の駒１と駒２を見ると、駒１は、第１のマークが「０４」で、矢印マークが対応している第２のマークは「５」である。また、駒２は、第１のマークが「１２」で、矢印マークが対応している第２のマークは「８」である。
【００３７】
従って、駒１は、図１の（イ）図と同様に、第１のマークが年号「０４」を示し、駒２の第１のマークが月を示し「１２」月を示すものとすると、駒１と駒２のそれぞれの第１マークから２００４年１２月が示されていることが解り、また、駒１の第２のマークが「５」で駒２が「８」を示す組合せは、（Ｂ）図の（２）表の２８日に対応する矢印マーク「↑」の位置に示されているので、日付が２８日で時間帯が０６：００〜１２：００であることが解る。すなわち、駒１と駒２の組合せにより、２００４年１２月２８日の時間帯が０６：００〜１２：００であることが解る。
【００３８】
図２においては、情報表示のために広い面積がとれないような場合に、１個のマーカ装置の層数を増加させるのではなく、２個のマーカ装置を用いて、少ない面積で多くの情報を表示可能にした。なお、情報によっては組合せに使用するマーカ装置の個数を増加させても良い。
【００３９】
図３は、図２に示す本発明のマーカ装置をレンズ付きフィルムユニットの前カバーの成形品に適用した例を示したものである。
【００４０】
一般には、レンズ付きフィルムユニットの前カバーは、商品として市販されている時は、紙製のカバーで、レンズやファインダ、あるいはストロボ等の部分を除いて覆われるので、図３に示す刻印は隠されてしまうことになる。つまり、マーカ装置を使用した情報の表示は、生産者側にとって重要な情報、例えば、製造年月日（時間を含む）、製造ロット、成形材料、成形材料のロット、金型の改修時期、および成形条件等を表示するため、一般の使用者にとっては関心の乏しい情報の場合が多いので、表示位置が目立たず、関係者が視認しようとすれば、視認できる位置に刻印するのが好ましい。
【００４１】
以上のように、マーカ装置の第１のマークと第２のマークを組み合わせ、更に、マーカ装置を組み合わせて表示を行うことにより、少ない面積で多くの表示が行えるようになった。
【００４２】
また、本実施の形態のように、第２のマーカである外駒のマークが１〜１２のマークのままであっても、第１のマーカである中駒を交換可能とすることにより、その用途に応じて幅広い情報を成形品に刻印することができるようになった。
【００４３】
また、複数のマーカ装置と対応表とを関連づけることにより、更に多くの情報が表示でき、図２の（Ａ）と（Ｂ）図の（１）〜（４）表に示す組合せだけで、３１日×４通り＝１２４通りの情報が表示できることになった。
【００４４】
なお、成形品における表示可能な面積と必要な情報に基づき、図１に示すマーカ装置を使用するか、あるいは、図２の（Ａ）のように複数個のマーカ装置を使用するかを選択することが必要である。
【００４５】
以上、本発明を上記の各実施の形態により説明したが、本発明はこれに限定されるものではない。特に、中駒の第１のマークに刻印する情報も上記実施の形態に限定されるものではなく、用途に応じた適切な情報を刻印すればよいことはいうまでもない。
【図面の簡単な説明】
【００４６】
【図１】本発明に係るマーカ装置の刻印面を示す模式図。
【図２】本発明に係るマーカ装置を使用した情報の表示方法を説明する説明図。
【図３】本発明に係るマーカ装置を用いた成形品の外観図。
【符号の説明】
【００４７】
１  第１のマーカ
２  第２のマーカ
３  第３のマーカ
４  第４のマーカ
【図１】
2005329546.tif 000003
【図２】
2005329546.tif 000004
【図３】
2005329546.tif 000005